(57)【要約】【課題】ディスク再生装置がＡＶラック等の扉付き収納棚に収納されている場合、ＡＶラック等の扉の開閉動作に連動して、ディスク再生装置を所定動作させることができるようにする。【解決手段】ディスクトレイの先端部の前面に配設された距離センサにより、扉までの距離を検出して扉の開閉を判別し、光ディスクの有無を検出して、扉が開けられたとき、ディスク再生装置の電源をＯＮにし、扉が開けられた場合に光ディスク有が検出されたとき、光ディスクを再生し、扉が開けられた場合に光ディスク無が検出されたとき、ディスクトレイを引き出し、扉が閉められた場合に光ディスク有が検出されたとき、光ディスクを再生し、扉が閉められた場合に光ディスク無が検出されたとき、ディスク再生装置の電源をＯＦＦにするようにする。【選択図】　　　　図４
0003097896.tif 000002
【実用新案登録請求の範囲】
【請求項１】
光ディスクに記録された映像音声信号を再生するディスク再生装置であって、
ディスクトレイの先端部の前面に配設された、ディスク再生装置の前方の扉までの距離を検出する距離センサと、前記距離センサにより検出された扉までの距離に基づいて扉の開閉を判別する判別手段と、ディスクトレイに載置された光ディスクの有無を検出するディスク検出手段と、前記判別手段により扉が開けられたと判別された場合に、前記ディスク検出手段により光ディスク無が検出されたとき、ディスクトレイを引き出すトレイ駆動制御手段と、前記判別手段により扉が開けられたと判断されたとき、ディスク再生装置の電源をＯＮにしてディスク再生装置を能動状態にし、前記判別手段により扉が閉められたと判断された場合に、前記ディスク検出手段により光ディスク無が検出されたとき、ディスク再生装置の電源をＯＦＦにしてディスク再生装置を待機状態にする電源制御手段と、前記判別手段により扉が開けられたと判断された場合に、前記ディスク検出手段により光ディスク有が検出されたとき、光ディスクを再生し、前記判別手段により扉が閉められたと判断された場合に、前記ディスク検出手段により光ディスク有が検出されたとき、光ディスクを再生する再生制御手段とを備えたことを特徴とするディスク再生装置。
【請求項２】
光ディスクに記録された映像音声信号を再生するディスク再生装置であって、
ディスク再生装置の前方の扉までの距離を検出する距離検出手段と、前記距離検出手段により検出された扉までの距離に基づいて、扉の開閉を判別する判別手段と、ディスクトレイに載置された光ディスクの有無を検出するディスク検出手段と、前記判別手段の判別結果と前記ディスク検出手段の検出結果とに基づいて、ディスクトレイの引き出しを制御するトレイ駆動制御手段と、前記判別手段の判別結果と前記ディスク検出手段の検出結果とに基づいて、ディスク再生装置の電源のＯＮ／ＯＦＦを制御する電源制御手段と、前記判別手段の判別結果と前記ディスク検出手段の検出結果とに基づいて、光ディスクの再生を制御する再生制御手段とを備えたことを特徴とするディスク再生装置。
【請求項３】
前記トレイ駆動制御手段は、前記判別手段により扉が開けられたと判別された場合に、前記ディスク検出手段により光ディスク無が検出されたとき、ディスクトレイを引き出すトレイ駆動制御手段であることを特徴とする請求項２記載のディスク再生装置。
【請求項４】
前記電源制御手段は、前記判別手段により扉が開けられたと判断されたとき、ディスク再生装置の電源をＯＮにしてディスク再生装置を能動状態にする電源制御手段であることを特徴とする請求項２記載のディスク再生装置。
【請求項５】
前記電源制御手段は、前記判別手段により扉が閉められたと判断された場合に、前記ディスク検出手段により光ディスク無が検出されたとき、ディスク再生装置の電源をＯＦＦにしてディスク再生装置を待機状態にする電源制御手段であることを特徴とする請求項２記載のディスク再生装置。
【請求項６】
前記再生制御手段は、前記判別手段により扉が開けられたと判断された場合に、前記ディスク検出手段により光ディスク有が検出されたとき、光ディスクを再生する再生制御手段であることを特徴とする請求項２記載のディスク再生装置。
【請求項７】
前記再生制御手段は、前記判別手段により扉が閉められたと判断された場合に、前記ディスク検出手段により光ディスク有が検出されたとき、光ディスクを再生する再生制御手段であることを特徴とする請求項２記載のディスク再生装置。
【請求項８】
前記距離検出手段は、ディスクトレイの先端部の前面に配設された距離センサであることを特徴とする請求項２記載のディスク再生装置。
【考案の詳細な説明】
【０００１】
【考案の属する技術分野】本考案は、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｋ）等の光ディスクに記録された映像音声信号を再生するディスク再生装置に係り、特にＡＶ（Ａｕｄｉｏ−Ｖｉｓｕａｌ）ラック等の扉の開閉動作に連動して動作する機能を有するディスク再生装置に関する。
【０００２】
【従来の技術】ディスク再生装置をＡＶラック等の扉付き収納棚に収納している場合、ディスク装置に光ディスクをローディングして光ディスクを再生するとき、ユーザはＡＶラック等の扉を開け、ディスクトレイの開閉を指令するリモコン装置等の開閉キーを操作して、ディスクトレイを引き出し、光ディスクをディスクトレイに載置した後、リモコン装置等の開閉キーを操作して、ディスクトレイをディスク再生装置の筐体内に引き込み、リモコン装置等の再生キーを操作して、光ディスクを再生しなければならないという問題点があった。
【０００３】従来の技術としては、光センサ又は超音波センサ、或いはトレイ先端部に設けられたスイッチにより、トレイ前方の障害物を検出するようにしたものがあった（例えば、特許文献１参照）。
【０００４】また、トレイ下部に設けられた超音波センサ等の測距センサにより、トレイの移動可能範囲内にある物体が検出されると、モータによりトレイを停止または元の位置に戻すようにしたものがあった（例えば、特許文献２参照）。
【０００５】
【特許文献１】実開平５−８６１３８号公報
【特許文献２】特開平７−２８７９２５号公報
【０００６】
【考案が解決しようとする課題】しかしながら、従来の技術で述べたものは、いずれも、トレイ前方の障害物を検出したとき、トレイの駆動の停止することができたが、ＡＶラック等の扉付き収納棚にディスク再生装置が収納されている場合、光ディスクをディスク装置にローディングして再生するとき、ユーザは上記した煩雑な手順を踏まなければならないという問題点があった。
【０００７】本考案は、従来の技術の有するこのような問題点に鑑みてなされたものであり、その目的とするところは、ディスク再生装置がＡＶラック等の扉付き収納棚に収納されている場合、ＡＶラック等の扉の開閉動作に連動して、ディスク再生装置を所定動作させることができるディスク再生装置を提供しようとするものである。
【０００８】
【課題を解決するための手段】上記目的を達成するために、本考案におけるディスク再生装置は、光ディスクに記録された映像音声信号を再生するディスク再生装置であって、ディスク再生装置の前方の扉までの距離を検出する距離検出手段と、前記距離検出手段により検出された扉までの距離に基づいて、扉の開閉を判別する判別手段と、ディスクトレイに載置された光ディスクの有無を検出するディスク検出手段と、前記判別手段の判別結果と前記ディスク検出手段の検出結果とに基づいて、ディスクトレイの引き出しを制御するトレイ駆動制御手段と、前記判別手段の判別結果と前記ディスク検出手段の検出結果とに基づいて、ディスク再生装置の電源のＯＮ／ＯＦＦを制御する電源制御手段と、前記判別手段の判別結果と前記ディスク検出手段の検出結果とに基づいて、光ディスクの再生を制御する再生制御手段とを備える。
【０００９】そして、前記トレイ駆動制御手段は、前記判別手段により扉が開けられたと判別された場合に、前記ディスク検出手段により光ディスク無が検出されたとき、ディスクトレイを引き出すようにする。
【００１０】また、前記電源制御手段は、前記判別手段により扉が開けられたと判断されたとき、ディスク再生装置の電源をＯＮにしてディスク再生装置を能動状態にするようにする。
【００１１】また、前記電源制御手段は、前記判別手段により扉が閉められたと判断された場合に、前記ディスク検出手段により光ディスク無が検出されたとき、ディスク再生装置の電源をＯＦＦにしてディスク再生装置を待機状態にするようにする。
【００１２】また、前記再生制御手段は、前記判別手段により扉が開けられたと判断された場合に、前記ディスク検出手段により光ディスク有が検出されたとき、光ディスクを再生するようにする。
【００１３】また、前記再生制御手段は、前記判別手段により扉が閉められたと判断された場合に、前記ディスク検出手段により光ディスク有が検出されたとき、光ディスクを再生するようにする。
【００１４】前記距離検出手段は、ディスクトレイの先端部の前面に配設された距離センサとするとよい。
【００１５】上記のように構成することにより、ディスク再生装置がＡＶラック等の扉付き収納棚に収納されている場合、ＡＶラック等の扉の開閉動作に連動して、ディスク再生装置を所定動作させることができる。
【００１６】
【考案の実施の形態】以下、適宜図面を参照しながら本考案の実施の形態を詳述する。図１は本考案の実施の形態に係るディスク再生装置の構成を示すブロック図であり、図２は本考案の実施の形態に係るディスク再生装置を示す説明図であり、図３乃至図５は本考案の実施の形態に係るディスク再生装置の動作を示す説明図であり、図６は本考案の実施の形態に係るディスク再生装置の動作を示すフローチャートである。
【００１７】まず、図１の本考案の実施の形態に係るディスク再生装置の構成を示すブロック図を基に説明する。
【００１８】ディスク再生装置１０は、光ディスクを装着するディスクトレイ１３を駆動するトレイモータ１１と、トレイモータ１１を駆動する駆動回路１２と、ディスクトレイ１３に載置された光ディスクの有無を検出するディスクセンサ１４と、光ディスクを回転させて、光ディスクに記録されている映像音声信号を読み出すディスク再生部１５と、ディスク再生部１４により読み出された映像音声信号を処理する映像音声信号処理回路１６と、レーザ光を出射して、その反射光を受光し、三角測量法によりＡＶラック等の扉３０までの距離を検出する距離センサ１７と、ディスク再生装置１０のシステム全体を制御するマイコン１８と、ディスク再生装置１０の電源のＯＮ／ＯＦＦを制御する電源制御回路２０とで構成されている。なお、距離センサ１７は、図２に示すように、ディスクトレイ１３の先端部の前面に設けられている。
【００１９】以上のように構成されたディスク再生装置について、図３乃至図５の本考案の実施の形態に係るディスク再生装置の動作を示す説明図を参照しながら、以下その動作について説明する。
【００２０】ディスク再生装置１０が待機状態になると、マイコン１８は、距離センサ１７からレーザ光を出射して、その反射光を距離センサ１７により受光し、距離センサ１７により検出されたＡＶラックの扉３０までの距離に基づいて、ＡＶラックの扉３０が開けられたか否かを判別し、ＡＶラックの扉３０が開けられた場合、ディスク再生装置１０の電源をＯＮにしてディスク再生装置１０を能動状態にして、ディスクセンサ１４によりディスクトレイ１３に載置された光ディスクの有無を検出する。光ディスク２０がディスク再生装置１０にローディングされている場合に（図３（ａ）参照）、ＡＶラックの扉が開けられると、ディスク再生部１５と映像音声信号処理回路１６とに制御信号を送出して、光ディスク２０を再生する（図３（ｂ）参照）。
【００２１】また、ＡＶラックの扉３０が開けられた場合に、光ディスクがディスク再生装置１０にローディングされていないとき（図４（ａ）参照）、マイコン１８は、駆動回路１２に制御信号を送出して、トレイモータ１１を駆動し、ディスクトレイ１３をディスク装置１０の筐体から引き出す（図４（ｂ）参照）。
【００２２】そして、ディスクトレイ１３が閉められると、マイコン１８は、距離センサ１７からレーザ光をＡＶラックの扉３０に向けて出射して、その反射光を距離センサ１７により受光し、ＡＶラックの扉３０が閉められたか否かを判断して、ＡＶラックの扉３０が閉められた場合、ディスクセンサ１４によりディスクトレイ１３に載置された光ディスクの有無を検出して、光ディスク２０がディスク再生装置１０にローディングされている場合、ディスク再生部１５と映像音声信号処理回路１６とに制御信号を送出して、光ディスク２０を再生する（図５（ａ）参照）。
【００２３】また、ＡＶラックの扉３０が閉められた場合、マイコン１８は、ディスクセンサ１４によりディスクトレイ１３に載置された光ディスクの有無を検出して、光ディスクがディスク再生装置１０にローディングされていない場合、電源制御回路１９に制御信号を送出して、ディスク再生装置１０の電源をＯＦＦにしてディスク再生装置１０を待機状態にする（図５（ｂ）参照）。
【００２４】なお、光ディスクの再生が終了すると、マイコン１８は、電源制御回路１９に制御信号を送出して、ディスク再生装置１０の電源をＯＦＦにしてディスク再生装置１０を待機状態にするようになっている。
【００２５】また、図６の本考案の実施の形態に係るディスク再生装置の動作を示すフローチャートを基に説明する。
【００２６】ディスク再生装置が待機状態になると、ステップＳ１からステップＳ２に進み、ステップＳ２でＡＶラックの扉が開けられたか否かが判断され、ＡＶラックの扉が開けられた場合、ステップＳ３に進み、ＡＶラックの扉が開けられていない場合、ステップＳ２に戻って、ステップＳ２のステップを繰り返す。
【００２７】ステップＳ３で、ディスク再生装置の電源がＯＮにされてディスク再生装置が能動状態になり、ステップＳ４に進む。
【００２８】ステップＳ４で、光ディスクがディスク再生装置にローディングされているか否かが判断され、光ディスクがディスク再生装置にローディングされている場合、ステップＳ９に進み、光ディスクがディスク再生装置にローディングされていない場合、ステップＳ５に進む。
【００２９】ステップＳ５で、トレイモータが駆動されて、ディスクトレイがディスク装置の筐体から引き出され、ステップＳ６に進む。
【００３０】ステップＳ６で、ディスクトレイが閉められたか否かが判断され、ディスクトレイが閉められた場合、ステップＳ７に進み、ディスクトレイが閉められていない場合、ステップＳ６のステップを繰り返す。
【００３１】ステップＳ７で、ＡＶラックの扉が閉められたか否かが判断され、ＡＶラックの扉が閉められた場合、ステップＳ８に進み、ＡＶラックの扉が閉められていない場合、ステップＳ７のステップを繰り返す。
【００３２】ステップＳ８で、光ディスクがディスク再生装置にローディングされているか否かが判断され、光ディスクがディスク再生装置にローディングされていない場合、ステップＳ１１に進み、光ディスクがディスク再生装置にローディングされている場合、ステップＳ９に進む。
【００３３】ステップＳ９で、光ディスクが再生され、ステップＳ１０に進む。
【００３４】ステップＳ１０で、光ディスクの再生が終了したか否かが判断され、光ディスクの再生が終了した場合、ステップＳ１１に進み、光ディスクの再生が終了していない場合、ステップＳ９からのステップを繰り返す。
【００３５】ステップＳ１１で、ディスク再生装置の電源がＯＦＦにされてディスク再生装置が待機状態になり、ステップＳ２に戻って、ステップＳ２からのステップを繰り返す。
【００３６】
【考案の効果】以上説明してきたように、本考案によるディスク再生装置によれば、ディスクトレイの先端部の前面に配設された距離センサにより、ディスク再生装置が収納されたＡＶラック等の扉付きの収納棚の扉までの距離を検出して、検出された扉までの距離に基づいて、扉の開閉を判別し、ディスクセンサにより光ディスクの有無を検出して、扉が開けられたとき、ディスク再生装置の電源をＯＮにしてディスク再生装置を能動状態にし、扉が開けられた場合に光ディスク有が検出されたとき、光ディスクを再生し、扉が開けられた場合に光ディスク無が検出されたとき、ディスクトレイを引き出し、扉が閉められた場合に光ディスク有が検出されたとき、光ディスクを再生し、扉が閉められた場合に光ディスク無が検出されたとき、ディスク再生装置の電源をＯＦＦにしてディスク再生装置を待機状態にすることができる。このことにより、ディスク再生装置がＡＶラック等の扉付き収納棚に収納されている場合、ＡＶラック等の扉の開閉動作に連動して、ディスク再生装置を所定動作させることができる。
【００３７】請求項１記載の考案に係るディスク再生装置は、ディスクトレイの先端部の前面に配設された距離センサにより、ディスク再生装置が収納されたＡＶラック等の扉付きの収納棚の扉までの距離を検出して、検出された扉までの距離に基づいて、扉の開閉を判別し、ディスクセンサにより光ディスクの有無を検出して、扉が開けられたとき、ディスク再生装置の電源をＯＮにしてディスク再生装置を能動状態にし、扉が開けられた場合に光ディスク有が検出されたとき、光ディスクを再生し、扉が開けられた場合に光ディスク無が検出されたとき、ディスクトレイを引き出し、扉が閉められた場合に光ディスク有が検出されたとき、光ディスクを再生し、扉が閉められた場合に光ディスク無が検出されたとき、ディスク再生装置の電源をＯＦＦにしてディスク再生装置を待機状態にするようにしているので、扉を開閉することにより、ディスク再生装置を所定動作させることができる。
【００３８】請求項２記載の考案に係るディスク再生装置は、ディスク再生装置の前方の扉までの距離を検出して、検出された扉までの距離に基づいて扉の開閉を判別し、ディスクトレイに載置された光ディスクの有無を検出して、ディスクトレイの引き出しを制御し、ディスク再生装置の電源のＯＮ／ＯＦＦを制御して、光ディスクの再生を制御するようにしているので、扉を開閉することにより、ディスク再生装置を所定動作させることができる。
【００３９】請求項３記載の考案に係るディスク再生装置は、扉が開けられたと判別された場合に光ディスク無が検出されたとき、ディスクトレイを引き出すようにしているので、扉を開けることにより、ディスクトレイを引き出すことができる。
【００４０】請求項４記載の考案に係るディスク再生装置は、扉が開けられたと判断されたとき、ディスク再生装置の電源をＯＮにしてディスク再生装置を能動状態にするようにしているので、扉を開けることにより、ディスク装置の電源をＯＮにすることができる。
【００４１】請求項５記載の考案に係るディスク再生装置は、扉が閉められたと判断された場合に光ディスク無が検出されたとき、ディスク再生装置の電源をＯＦＦにしてディスク再生装置を待機状態にするようにしているので、光ディスクがディスク装置にローディングされていないとき、扉を閉めることにより、ディスク装置の電源をＯＦＦにすることができる。
【００４２】請求項６記載の考案に係るディスク再生装置は、扉が開けられたと判断された場合に光ディスク有が検出されたとき、光ディスクを再生するようにしているので、光ディスクがディスク装置にローディングされているとき、扉をあけることにより、ディスク装置にローディングされている光ディスクを再生することができる。
【００４３】請求項７記載の考案に係るディスク再生装置は、扉が閉められたと判断された場合に光ディスク有が検出されたとき、光ディスクを再生するようにしているので、光ディスクをディスク装置にローディングして、扉を閉めることにより、ディスク装置にローディングした光ディスクを再生することができる。
【００４４】請求項８記載の考案に係るディスク再生装置は、ディスクトレイの先端部の前面に配設された距離センサにより扉までの距離を検出するようにしている。
【図面の簡単な説明】
【図１】本考案の実施の形態に係るディスク再生装置の構成を示すブロック図である。
【図２】本考案の実施の形態に係るディスク再生装置を示す説明図である。
【図３】本考案の実施の形態に係るディスク再生装置の動作を示す説明図である。
【図４】本考案の実施の形態に係るディスク再生装置の動作を示す説明図である。
【図５】本考案の実施の形態に係るディスク再生装置の動作を示す説明図である。
【図６】本考案の実施の形態に係るディスク再生装置の動作を示すフローチャートである。
【符号の説明】
１０　ディスク再生装置
１１　トレイモータ
１２　駆動回路
１３　ディスクトレイ
１４　ディスクセンサ
１５　ディスク再生部
１６　映像音声信号処理回路
１７　距離センサ
１８　マイコン
２０　電源制御回路
３０　扉
【図１】
0003097896.tif 000003
【図２】
0003097896.tif 000004
【図３】
0003097896.tif 000005
【図４】
0003097896.tif 000006
【図５】
0003097896.tif 000007
【図６】
0003097896.tif 000008